(57)【要約】      （修正有）【課題】ハンカチ本来の保水性・吸水性機能のほかに、例えば、よだれかけ、瓶蓋回し、ナプキンなどとしての付加機能を有し、しかもハンカチ使用後にはコンパクトに纏められる機能性ハンカチを提供する。【解決手段】機能性ハンカチ１は、吸水性を有するパイル地２およびその裏面に積層した樹脂フィルム層３からなるハンカチ本体４と、該ハンカチ本体４の裏側に配置する薄布とを備え、該薄布の表面に滑り止め層を分散形成し、ハンカチ本体４および薄布を縫着によって一体化する。【選択図】図１
2014201865.tif 000002
【特許請求の範囲】
【請求項１】
吸水性を有するパイル地およびその裏面に積層した樹脂フィルム層からなるハンカチ本体と、該ハンカチ本体の裏側に配置する薄布とを備え、該薄布の表面に滑り止め層を分散形成し、ハンカチ本体および薄布を縫着によって一体化する機能性ハンカチ。
【請求項２】
薄布はハンカチ本体と同じ平面形状を有し、該薄布およびハンカチ本体の両者の全周を同時に縫着して一体化する請求項１記載の機能性ハンカチ。
【請求項３】
パイル地裏面の樹脂フィルム層はポリウレタン樹脂からなり、且つ薄布表面の滑り止め層はシリコン樹脂からなる請求項１記載の機能性ハンカチ。
【請求項４】
吸水性を有するパイル地およびその裏面に設けた樹脂フィルム層からなるハンカチ本体と、該ハンカチ本体の裏側に配置する薄布とを備え、該薄布の表面に滑り止め層を形成し、ハンカチ本体および薄布を縫着によって一体化するとともに、ハンカチ本体に所定の畳み込み機構を縫着することにより、ハンカチ本体を折り重ねてから畳み込み機構によって折り畳み状態を保持させ、ハンカチ全体をコンパクトに纏める機能性ハンカチ。
【請求項５】
畳み込み機構はハンカチ本体の表面に縫着する伸縮性繊維のシート布からなり、該シート布を部分的に縁縫いしてハンカチ本体に縫い付けることでポケット状の開口部を形成し、ハンカチ本体を小さく折り畳んでからシート布を開口部で裏返すことにより、該シート布内にハンカチ全体をコンパクトに収納する請求項４記載の機能性ハンカチ。
【請求項６】
ハンカチ本体において、蓋布をシート布の開口部の近傍に縫い付け、該蓋布がシート布の開口部を覆うように配置することにより、裏返し前のシート布または裏返し後のシート布に所定の美観を付与する請求項５記載の機能性ハンカチ。
【請求項７】
畳み込み機構はハンカチ本体の隅部に縫着するベルト片からなり、該ベルト片の両端部に着脱自在の係止部材を取り付け、ハンカチ本体を細長く折り畳んでからベルト片を巻き付けて係止部材で固定することにより、ハンカチ全体を蝶ネクタイ状に纏める請求項４記載の機能性ハンカチ。
【発明の詳細な説明】
【技術分野】
【０００１】
本発明は、ハンカチ本来の機能のほかに、例えば、よだれかけ、瓶蓋回し、ナプキンなどとしての付加機能を有する機能性ハンカチに関し、さらに全体収束時の状態にデザイン性を付与し、ハンカチ使用後にはコンパクトに纏められる機能性ハンカチに関する。
【背景技術】
【０００２】
ハンカチまたはハンカチーフは、一般に小型で方形の手ふき布であり、従来から各種の繊維製のものが市販されている。ハンカチは、本来、単に手ふき機能を有する方形布であるから、多少の加工を加えて付加価値を高めようとする多くの試みがなされており、最近の提案には、例えば、特開２０１０−１３７４１号、特開２０１０−２６５５６９号、特開２０１１−２３１４４２号などが存在する。
【０００３】
特開２０１０−１３７４１号では、環状の吊り紐を挟んでポケット布を縫着したハンカチを提供し、方形のポケット布をハンカチ本体の隅部に載置し、ハンカチ本体の中心に向けて開口部が生じるようにハンカチ本体に縫い付ける。特開２０１０−２６５５６９号では、輪ゴム付きのタオルハンカチを提案し、該ハンカチの対角線上に設けたボタン孔の一方に着脱可能なベルトを介して輪ゴムを取り付ける。また、特開２０１１−２３１４４２号は、よだれかけ兼用のタオルハンカチを提案するものであり、タオルハンカチの対角線上の２偶部にスナップボタンを設け、さらにリボンテープの両端にスナップボタンを設けることにより、該リボンテープを介してタオルハンカチの両偶部をつなぐ。
【０００４】
特開２０１０−１３７４１号のハンカチは、時計やネックレスを吊り紐に通してポケット内に保存でき、該ポケットを裏返して吊り下げると立体的になり、さらにハンカチ本体を丸めてポケット内に収納すると小型化できる。特開２０１０−２６５５６９号のタオルハンカチは、高温または冷たいジュース缶に巻き付けて輪ゴムで固定したり、簡易マスクやよだれかけとして使用でき、さらに２枚を用いてハンカチ人形を組み込むことが可能である。また、特開２０１１−２３１４４２号のタオルハンカチは、スナップボタンの着脱によってよだれかけとよだれふきに兼用できる。
【先行技術文献】
【特許文献】
【０００５】
【特許文献１】特開２０１０−１３７４１号公報
【特許文献２】特開２０１０−２６５５６９号公報
【特許文献３】特開２０１１−２３１４４２号公報
【発明の概要】
【発明が解決しようとする課題】
【０００６】
前記の多機能ハンカチは、いずれも市販のハンカチを機能化するものであるが、タオルハンカチなどのハンカチ本体は素材のままであるから、よだれかけとして用いると幼児のよだれが容易にハンカチ本体の裏面までしみ通って着衣を汚し、ナプキンとして用いても同様の問題を生じる。この多機能ハンカチでは、よだれかけとして幼児の首に掛けると、動きの大きい幼児では食事中によだれかけの位置がずれやすく、ナプキンとして胸前や膝上に掛けても食事中にずれて下に落ちることが多い。また、この種の多機能ハンカチは、よだれや汗で汚れてしまった後の処理が考慮されていないため、汚れた多機能ハンカチをそのままバッグなどに入れるとバッグ内部を汚してしまう。
【０００７】
本発明は、従来の多機能ハンカチに関する前記の問題点を改善するために提案されたものであり、本来の吸水性機能のほかに、吸い取った水分がハンカチ裏側までしみ通らず、使用者の胸前や膝上などに掛けた際にずれることが少ない機能性ハンカチを提供することを目的としている。本発明の他の目的は、本来の吸水性機能のほかに、瓶蓋回し、よだれかけ、ナプキンなどの付加機能を有する機能性ハンカチを提供することである。本発明の別の目的は、本来の吸水性機能のほかに、全体の収束時に所定のデザインが付与され、且つハンカチ使用後にコンパクトに纏めることで汚れの伝搬を防ぐ機能性ハンカチを提供することである。
【課題を解決するための手段】
【０００８】
本発明に係る機能性ハンカチは、吸水性を有するパイル地およびその裏面に積層した樹脂フィルム層からなるハンカチ本体と、該ハンカチ本体の裏側に配置する薄布とを備える。この機能性ハンカチには、薄布の表面に滑り止め層を分散形成し、ハンカチ本体および薄布を縫着によって一体化する。
【０００９】
前記の機能性ハンカチにおいて、好ましくは、薄布はハンカチ本体と同じ平面形状を有し、該薄布およびハンカチ本体の両者の全周を同時に縫着して一体化する。また、パイル地裏面の樹脂フィルム層はポリウレタン樹脂からなり、且つ薄布表面の滑り止め層はシリコン樹脂からなると好ましい
【００１０】
本発明に係る機能性ハンカチでは、ハンカチ本体に所定の畳み込み機構をさらに縫着してもよい。この畳み込み機構によって、ハンカチ本体を折り畳んでから折り畳み状態を保持させ、ハンカチ全体をコンパクトに纏めることが可能である。
【００１１】
前記の機能性ハンカチにおいて、畳み込み機構はハンカチ本体の表面に縫着する伸縮性繊維のシート布からなると好ましく、該シート布を部分的に縁縫いしてハンカチ本体に縫い付けることでポケット状の開口部を形成し、ハンカチ本体を小さく折り畳んでからシート布を開口部で裏返すことにより、該シート布内にハンカチ全体をコンパクトに収納する。この際に、ハンカチ本体において、蓋布をシート布の開口部の近傍に縫い付け、該蓋布がシート布の開口部を覆うように配置することにより、裏返し前のシート布または裏返し後のシート布に所定の美観を付与することが可能である。また、畳み込み機構はハンカチ本体の隅部に縫着するベルト片からなっていてもよく、該ベルト片の両端部に着脱自在の係止部材を取り付け、ハンカチ本体を細長く折り畳んでからベルト片を巻き付けて係止部材で固定することにより、ハンカチ全体を蝶ネクタイ状に纏める。
【発明の効果】
【００１２】
本発明に係る機能性ハンカチは、表面がパイル地であるので肌触りが良く、ハンカチ本来の機能である手拭きや汗拭きとして用いることができる。本発明の機能性ハンカチでは、薄布に樹脂製の滑り止め層が分散形成され，且つ該薄布とパイル地であるハンカチ本体とが分離しているので、裏側に滑り止め層が存在してもハンカチが使用時にごわつくことが少ない。本発明の機能性ハンカチは、パイル地が吸い取った水分を裏面の樹脂フィルム層で阻止し、下側の薄布までしみ通すことがないため、この機能性ハンカチをよだれかけやナプキンとして用いると、パイル地に水に浸透しても幼児の着衣などを濡らすことが殆どない。
【００１３】
本発明に係る機能性ハンカチは、その裏側に分散形成した滑り止め層が存在することにより、該ハンカチを使用者の胸前や膝上などに掛けた際にずれることが少なく、幼児の胸前に置く場合には着衣の衿口に差し込んだり、市販のクリップで着衣に固定するだけでずり落ちることがない。また、この機能性ハンカチをねじ蓋付きの瓶に被せると、裏側の滑り止め層によってねじ蓋が回しやすくなり、握力が弱い女性や子供用の瓶蓋回しとしての機能も有する。
【００１４】
本発明に係る機能性ハンカチは、全体に小さく折り畳んでから、伸縮性繊維製のシート布を開口部で裏返すと、該シート布内にハンカチ全体を畳み込んでコンパクトに収納できて嵩張らない。本発明の機能性ハンカチは、使用後で汚れていても、該シート布内に畳み込んでしまうと、そのままバッグなどに入れてもバッグ内部を汚すことがなく、ハンカチの汚れの伝搬を防ぐことができる。さらに、本発明の機能性ハンカチは、全体収束時の状態にデザイン性を付与でき、適宜の装飾を施してキャラクター商品化したり、蝶ネクタイなどの特定の形状に纏めて装飾的な効果を付与できる。
【図面の簡単な説明】
【００１５】
【図１】本発明に係る機能性ハンカチを示す平面図である。
【図２】図１の機能性ハンカチの裏面を示す平面図である。
【図３】図１の機能性ハンカチをＡ−Ａ線に沿って部分的に切断した概略断面図である。
【図４】機能性ハンカチを折り畳んだ状態を示すシート布の概略横断面図である。
【図５】図１の機能性ハンカチをシート布に収納した状態を示す斜視図である。
【図６】機能性ハンカチの変形例を示す平面図である。
【図７】図６の機能性ハンカチの裏面を示す平面図である。
【図８】図６の機能性ハンカチをＢ−Ｂ線に沿って部分的に切断した概略断面図である。
【図９】図６の機能性ハンカチをシート布に収納した状態を示す斜視図である。
【図１０】機能性ハンカチの別の変形例を示す平面図である。
【図１１】ベルト片を上向きにした図１０の機能性ハンカチの裏面を示す平面図である。
【図１２】図１０の機能性ハンカチを折り畳んで拘束した状態を示す平面図である。
【発明を実施するための形態】
【００１６】
図１は本発明に係る機能性ハンカチ１の一例を示し、該ハンカチにおいて、ハンカチ本体４は、表面のパイル地２および裏面の樹脂フィルム層３からなる（図３参照）。ハンカチ本体４は、通常、一般的な方形や矩形であり、よだれかけやナプキンの用途が主であるならば大きめに裁断すればよく、その四隅を面取りすることも可能である。ハンカチ本体４において、表側のパイル地２は、比較的細い綿のパイル糸を緻密に織った片面タオル組織などの縦パイル組織や横パイル組織または特殊パイル織で構成する。パイル地２に吸水性を付与するために、例えば、異形断面などのパイル糸を用いたり、パイル糸を酸性酵素法や適宜の吸水剤などによって吸水処理を施してもよい。
【００１７】
パイル地２は、その表面に適宜の図柄をプリントして美観を高める。パイル地２には、図３に示すように、その裏面に薄い樹脂フィルム層３が積層され、該フィルム層はポリウレタン、ポリエステル、ポリオレフィン樹脂製などであり、特にポリウレタン樹脂製であるとパイル地２の畳み易さと柔軟性を維持できるので好ましい。樹脂フィルム層３は、ローラコーティング、ディッピングまたは全面スクリーン印刷などによってパイル地２の裏面に形成する。
【００１８】
機能性ハンカチ１では、ハンカチ本体４の裏側に薄布５を配置し、該薄布は綿、麻、絹などの天然繊維または合成繊維のいずれでもよい。薄布５の表面には滑り止め層６を分散形成し、該滑り止め層は摩擦抵抗が高い樹脂製であればよく、特に摩擦抵抗が高くて柔軟なシリコン樹脂であると好ましい。滑り止め層６の平面形状は、図２のような五角形の星の全面分散、水玉模様、縞模様、格子模様などのいずれでもよく、表面積が小さい割に摩擦抵抗を高くするには五角形の星形を用いると好ましい。滑り止め層６は、スクリーン印刷、凸版印刷、平版印刷、オフセット印刷などによって、図２に例示のように全面に均等分散させる。薄布５は、ハンカチ本体４と同じ平面形状を有し、該薄布およびハンカチ本体４を重合し、その全周をオーバーロックミシンなどによって縁取りすると、縁縫い部７によってハンカチ本体４と一体化する。
【００１９】
機能性ハンカチ１について、ハンカチ本体４をコンパクトに纏めるために、畳み込み機構をハンカチ本体４つまりパイル地２に縫い付け、この畳み込み機構は、部分縁縫いして開口部を形成したポケット状のシート布８（図１），２１（図６）またはベルト片３５（図１０）などであると好ましい。シート布８，２１は、パイル地２の表面に全体を縫い付けても、底布を用いてハンカチ本体４の周縁から突出させて取り付けてもよい。ベルト片３５は、図１０のようにハンカチ本体４から外向きに配置しても、不使用時にはパイル地の表面または薄布の裏面に剥離可能に接着できる態様であってもよい。
【００２０】
この畳み込み機構がポケット状のシート布８，２１である場合には、裏返しが必要であるので伸縮性の高い布またはプラスチック素材などからなる。このシート布は、ハンカチ本体４の肌触りと柔軟性を損なわない点から伸縮性繊維製であると好ましく、例えば、ポリウレタン系糸や巻縮加工糸などのニット生地を用いる。このシート布は、パイル地２と同一または異なる色に着色され、該シート布が裏返しされるとパイル布の部分が外に出るので、裏返し時の模様や図柄を統一させるために有色の底布２０(図８)をパイル布上に配置してもよい。
【００２１】
前記のシート布は、その平面形状が矩形であれば、三側縁をハンカチ本体に縫い付けて非縫い付けの一辺でポケット状の開口部９（図１）を形成し、三角形であれば非縫い付けの一辺、五角形以上であれば二辺で開口部を形成すればよい。シート布が、図６のような直線状の割線を有する優孤状であれば、該優孤の円周を縫い付けて、割線部分が開いたポケット状の開口部を形成し、この際に優孤の中心角は２００〜２５０度である。所望に応じて、ハンカチ本体には、矩形または優孤状の蓋布１０，２２をシート布の開口部の近傍に配置し、その一側縁または円周を縫い付けて蓋布が該シート布の開口部を覆うと好ましい。この蓋布は、シート布８，２１と同じ伸縮性繊維製であっても異なっていてもよい。この蓋布の裏面とシート布の前表面に面ファスナやスナップを縫い付けると、該蓋体を開閉可能にできる。
【００２２】
一方、畳み込み機構として、ベルト片３５（図１０）をパイル地の隅部に縫着してもよい。ベルト片３５は、パイル地３２と共布または別の布地であり、デザイン的には適当な装飾を施した別布であれば好ましい。このベルト片の両端部には、その表裏に分けてスナップや面ファスナなどの係止部材を取り付ける。このベルト片は、機能性ハンカチを対角線方向に巻き込んだ際に、少なくともその周囲に巻き付けて係止部材で固定できる長さを有することを要する。
【００２３】
機能性ハンカチ１は、表面がパイル地２であるので肌触りが良くて柔軟であり、該パイル地が高い吸水性を有するので、ハンカチ本来の機能である手拭きや汗拭きとして用いることができる。パイル地２が吸い取った水分は、裏面の樹脂フィルム層３で阻止され、裏の薄布５までしみ通ることはないため、機能性ハンカチ１をよだれかけやナプキンとして用いると、パイル地２に水に浸透しても幼児などの使用者の着衣などを濡らすことがなく、このハンカチを裏返して畳むと他のものを汚すこともない。
【００２４】
機能性ハンカチ１の裏側には、薄布５に分散形成した滑り止め層６が存在するから、該ハンカチを使用者の胸前や膝上などに掛けた際にずれることが少なく、幼児の胸前に置く場合には、着衣の衿口に差し込んだり、紐付きの市販のクリップ（図示しない）で固定するだけでよい。また、ハンカチ１をねじ蓋付きの瓶（図示しない）に被せると、裏側の滑り止め層６によってねじ蓋が回しやすくなり、握力が弱い女性や子供用の瓶蓋回しとしての機能も有する。機能性ハンカチ１では、薄布５に滑り止め層が分散形成され，且つ該薄布とハンカチ本体４とが分離しているので、該ハンカチを折り畳みやすく、使用時にごわつくことも少ない。
【００２５】
機能性ハンカチ１を畳む際には、例えば、ニット生地のシート布８であると、ハンカチ本体４をシート布８の裏側で小さく折り畳んでから、該シート布を裏返し、さらに蓋布１０を裏返して面ファスナ１１で留めればよい（図５参照）。また、シート布２１であると、ハンカチ本体１６を底布２０の裏側で小さく折り畳んでから、蓋布２２を裏返しついでシート布２１を裏返すと、該シート布は優孤状であるので裏返し後にずり上がることは少ない。一方、機能性ハンカチ３０では、図１１の図番３０ａから３０ｆに従って折り畳み、折り畳み後のハンカチの中央部を絞ってから、その個所にベルト片３５を巻き付けてスナップ３６，３６で留め、図１２のようにハンカチ全体を蝶ネクタイ状に纏める。
【００２６】
機能性ハンカチ１は、シート布８，２１内にハンカチ全体を畳み込み、さらに手によって全体を多少整形すると、デザイン的に優れた商品となる。このシート布の下側に同系色の底布２０を配置しておくと、裏返し後にシート布２１、蓋布２２、底布２０が表側になってデザインに統一感が生じるので好ましい。例えば、シート布２１を含む円形の底布２０（図８）であれば、裏返し後に整形すると、赤や青の丸いリンゴのような形状になり、シート布２１の裏面や底布２０に目鼻などを印刷しておくとキャラクター商品にもできる（図９参照）。
【００２７】
機能性ハンカチ１は、図５、図９や図１２のように畳み込んでいるとコンパクトになって嵩張らず、バッグなどに入れて持参や保管する際に便利である。機能性ハンカチ１は、使用後で汚れていても、図５や図９のようにシート布８，２１内に畳み込んだり、図１２でハンカチ本体を裏向きに畳むと、汚れたパイル地が内部になってしまうので、そのままバッグなどに入れてもバッグ内部を汚すことがない。
【実施例１】
【００２８】
次に、本発明を実施例に基づいて説明するが、本発明は実施例に限定されるものではない。図１に示す機能性ハンカチ１において、ハンカチ本体４は、表面のパイル地２および裏面の樹脂フィルム層３からなる（図３参照）。ハンカチ本体４では、その表面に吸水処理を施したパイル地２を配置し、該ハンカチ本体は四隅を面取りされている。表面に適宜の図柄をプリントしたパイル地２は、比較的細いパイル糸を緻密に織った片面タオル組織などの縦パイル組織で構成する。
【００２９】
パイル地２には、図３に示すように、その裏面に薄い樹脂フィルム層３が積層され、該フィルム層はパイル地２の柔軟性を維持できるポリウレタン樹脂製であると好ましい。フィルム層３は、例えば、全面スクリーン印刷によって形成する。ハンカチ本体４は、表面のパイル地２および裏面の樹脂フィルム層３からなり、該ハンカチ本体の裏側に綿製の薄布５を配置する。
【００３０】
薄布５の表面には滑り止め層６を分散形成し、該滑り止め層は摩擦抵抗が比較的高いシリコン樹脂製であると好ましい。滑り止め層６は、例えば、スクリーン印刷によって、図２に例示のように五角形の星を全面にほぼ均等に分散させたように形成すると、機能性ハンカチ１の柔軟性を損なうことが少ない。薄布５は、ハンカチ本体４と同じ平面形状を有し、該薄布およびハンカチ本体４の全周を縁取りし、縁縫い部７によってハンカチ本体４と一体化させる。
【００３１】
ハンカチ本体４であるパイル地２の表面には、畳み込み機構として矩形状のシート布８を縫着する。シート布８は、伸縮性の高い赤色ニット生地などの伸縮性繊維からなり、該シート布の三側縁８ａ、８ｂ、８ｃをハンカチ本体４に縫い付けることにより、非縫い付けの一端辺でポケット状の開口部９を形成する。さらに、ハンカチ本体４には、細長い蓋布１０をシート布８の開口部９の近傍に平行配置し、その一側縁を縫い付けて蓋布１０がシート布８の開口部９を覆う。蓋布１０は、シート布８と同じ赤色ニット生地であり、該蓋布の裏面中央とシート布８の前表面中央に縫い付けた面ファスナ１１によって蓋開閉自在にする。
【００３２】
シート布８は、ハンカチ本体４の表面において任意の大きさと位置に設定できるけれども、図４に示す折り畳み状態があまり嵩張らない寸法に定めることが望ましい。シート布８の側縁８ａは、主として美観の点から、ハンカチ本体４の側縁から僅かに離隔するように配置する。例えば、シート布８の長さはハンカチ本体４の一辺の長さの１／３より多少長めであり、その辺のほぼ中間の位置を占める。また、シート布８の幅は、ハンカチ本体４の側縁からの離隔距離を除いて、ハンカチ本体４の一辺の長さの約１／３である。
【００３３】
機能性ハンカチ１は、表面がパイル地２であるので、ハンカチ本来の機能である手拭きや汗拭きとして用いることができ、パイル地２が吸い取った水分は裏面の樹脂フィルム層３で阻止され、薄布５までしみ通ることはない。このため、機能性ハンカチ１をよだれかけやナプキンとして用いると、パイル地２に水に浸透しても使用者の着衣などを濡らすことがない。機能性ハンカチ１の裏側には、薄布５に分散形成した滑り止め層６が存在するから、該ハンカチを使用者の胸前や膝上などに掛けた際にずれることが少なく、幼児の胸前に置く場合には、市販のクリップ（図示しない）で着衣に固定するだけでよい。また、ハンカチ１をねじ蓋付きの瓶（図示しない）に被せると、裏側の滑り止め層６によってねじ蓋が回しやすくなり、瓶蓋回しとしての機能も有する。
【００３４】
機能性ハンカチ１を畳む際には、その裏面（図２）において、通常、一点鎖線２ａ，２ａで谷折りし、この谷折りをさらに一点鎖線２ｂ，２ｂ，２ｂで折り込んでシート布８の裏側で小さく折り畳む（図４参照）。次に、伸縮性繊維製のシート布８を開口部９で裏返す。さらに蓋布１０を裏返して開口部９に差し込み、該蓋布を面ファスナ１１で留めると、シート布８内にハンカチ全体を畳み込んでコンパクトに収納できる（図５参照）。
【００３５】
機能性ハンカチ１は、図５のように畳み込んでいるとコンパクトになって嵩張らない。機能性ハンカチ１は、使用後で汚れていても、図５のようにシート布８内に畳み込んでしまうと、そのままバッグなどに入れてもバッグ内部を汚すことがなく、ハンカチの汚れが他のものに伝搬することを防ぐことができる。
【実施例２】
【００３６】
図６は本発明の変形例を示し、図６の機能性ハンカチ１２には、実施例１と同様のハンカチ本体を用いる。このハンカチ本体は、実施例１と表面図柄１５が異なるパイル地１６およびその裏面に積層した樹脂フィルム層１７（図８）を有し、該ハンカチ本体の裏側において滑り止め層付きの薄布１８（図７）を配置し、該薄布を全周囲の縁縫い部１９によってハンカチ本体と一体化させる。
【００３７】
パイル地１６の表面には、その偶部の近傍において、図８に示すように、伸縮性の高い赤色ニット生地の円形の底布２０を配置し、さらに該底布と同素材で同直径である切欠き円形のシート布２１およびほぼ半円形の蓋布２２を重ね合わせ、該底布の全円周を縁縫いして３枚同時にパイル地１６に縫着する。シート布２１は、直線状の割線２３を有する優孤であって、円弧の中心角は２００〜２５０度であり、該割線がパイル地１６の隅部に向くように配置する。また、半円形または優孤状の蓋布２２は、シート布２１の上に重ね、該蓋布の割線２４はシート布２１の割線２３と平行である。シート布２１は、その円弧部が縁縫いされるので割線２３の個所が開口部となり、該開口部を半円形の蓋布２２が覆っている。
【００３８】
シート布２１を含む円形の底布２０は、パイル地１６の表面において任意の大きさと位置に設定できるけれども、図９に示す折り畳み収納状態が球形に近い形状にできることが望ましい。この底布２０は、パイル地１６の偶部において周囲の縁縫い部１９から少し離して配置し、該底布の直径はパイル地１６の一辺の長さの１／３程度に定める。
【００３９】
機能性ハンカチ１２を畳む際には、その裏面（図７）において、通常、一点鎖線１２ａ，１２ａで谷折りし、この谷折りをさらに２点鎖線１２ｂ，１２ｂで折り込んで底布２０の裏側で小さく折り畳んでから、蓋布２２を裏返し、さらにシート布２１を開口部で裏返すと、割線２３が蓋布２２の上方に位置する。蓋布２２、シート布２１および底布２０内にハンカチ全体が畳み込まれ、全体が丸くなるように整形すると、シート布２１内に縫い付けた飾り２５が表に出て、全体が赤くて丸いリンゴのような形状でコンパクトに収納できる（図９参照）。
【００４０】
機能性ハンカチ１２は、図９のようにほぼ球形に畳み込んでいるとコンパクトで嵩張らず、適宜の装飾を施せばキャラクター商品化が可能である。機能性ハンカチ１２は、使用後で汚れていても、図９のように蓋布２２とシート布２１で畳み込んでしまうと、そのままバッグなどに入れてもバッグ内部を汚すことがない。
【実施例３】
【００４１】
図１０は本発明のさらに別の変形例を示し、図１０の機能性ハンカチ３０には、実施例１と同様のハンカチ本体を用いる。このハンカチ本体は、実施例１と同様の水玉模様などの表面図柄３１をプリントしたパイル地３２およびその裏面に積層した樹脂フィルム層（図示しない）を有し、該ハンカチ本体の裏側において滑り止め層付きの薄布３３（図１１）を配置し、該薄布を全周囲の縁縫い部３４によってハンカチ本体と一体化させる。
【００４２】
機能性ハンカチ３０において、畳み込み機構はパイル地３２の隅部に縫着するベルト片３５であり、該ベルト片はパイル地３２から外向きに配置する。ベルト片３５は、パイル地３２と共布または別の布地であり、該ベルト片の両端部には、その表裏に分けてスナップ３６，３６を取り付ける。ベルト片３５の長さは、ハンカチ３０を対角線方向に巻き込んだ際に、その周囲に巻き付けてスナップ３６，３６で固定できることを要する。
【００４３】
機能性ハンカチ３０を畳む際には、該ハンカチを裏返し、図１１のようにベルト片３５を上向きにしてから、まず一点鎖線３０ａで谷折りしてから二点鎖線３０ｂで山折りする。次に、図１１の一点鎖線３０ｃで谷折りしてから二点鎖線３０ｄで山折りする。さらに、図１１の一点鎖線３０ｅと３０ｆで山折りして左右を折り畳み、全体を横長の矩形状にする。この折り畳んだハンカチを表へ返し、その折り畳み中央部３２ａを真ん中が膨らむように絞ってから、その個所にベルト片３５を巻き付けてスナップ３６，３６で留めると、図１２に示すようにハンカチ全体を蝶ネクタイ状に纏めることができる。
【００４４】
機能性ハンカチ３０は、図１２のように球形に畳み込んでいるとコンパクトで嵩張らず、蝶ネクタイ状に纏めると装飾的な効果を有する。
【符号の説明】
【００４５】
１    機能性ハンカチ
２    パイル地
３    樹脂フィルム層
４    ハンカチ本体
５    薄布
６    滑り止め層
８    シート布
９    開口部
１０    蓋布
【図１】
2014201865.tif 000003
【図２】
2014201865.tif 000004
【図３】
2014201865.tif 000005
【図４】
2014201865.tif 000006
【図５】
2014201865.tif 000007
【図６】
2014201865.tif 000008
【図７】
2014201865.tif 000009
【図８】
2014201865.tif 000010
【図９】
2014201865.tif 000011
【図１０】
2014201865.tif 000012
【図１１】
2014201865.tif 000013
【図１２】
2014201865.tif 000014